(57)【特許請求の範囲】
【請求項１】
デジタル露光処理のための光源部（１５５）を一体的に備えたデジタル露光処理ユニット（１１）と、該光源部（１５５）の冷却を行うための気体流通手段（１６２）とを備えた写真処理装置において、前記気体流通手段（１６２）にて流通される気体による冷却効率を向上させるべく、前記光源部（１５５）の周囲に制風手段が設けられ、前記光源部（１５５）は、リフレクタ一体型のハロゲンランプであり、リフレクタ（２０２）及びネック部（２０５）が臨出した格好でハロゲンランプ装着体（１６５）に装着され、前記制風手段としての通風ガイド体（１６６）が、ハロゲンランプ（１５５）を囲うようにしてハロゲンランプ装着体（１６５）に着脱自在に取り付けられたことを特徴とする写真処理装置。
【請求項２】
前記制風手段が、前記光源部（１５５）の外周形状に沿うべく形成されている請求項１に記載の写真処理装置。
【請求項３】
前記光源部（１５５）に近接する前記制風手段の内周形状が、前記光源部の外周形状の相似形となるべく構成された請求項２に記載の写真処理装置。
【請求項４】
前記気体が前記光源部（１５５）の所定箇所に集中するように、前記制風手段が構成された請求項１から３のいずれか１項に記載の写真処理装置。
【請求項５】
前記光源部（１５５）に送られる前記気体の入口と出口とがそれぞれ一ヶ所となるべく、前記制風手段が構成された請求項１から４のいずれか１項に記載の写真処理装置。
【請求項６】
前記通風ガイド体（１６６）は箱体であり、該通風ガイド体（１６６）内には、リフレクタ（２０２）の基端部及びネック部（２０５）を挟み込み、気体をリフレクタ（２０２）の基端部及びネック部（２０５）に吹き付けるべく、対向配置される二枚のガイド板（１７４，１７４）を備える請求項１から５のいずれか１項に記載の写真処理装置。
【発明の詳細な説明】
【０００１】
【発明の属する技術分野】
本発明は、写真処理装置に関し、詳しくは、露光処理等に用いられる光源部を効果的に冷却させ得るように構成された写真処理装置に関するものである。
【０００２】
【従来の技術】
写真処理装置は、露光処理等を行うために光源部を有している。露光処理等を行うために用いられる光源部は、所定値以上の光量が必要であるため、係る光源部としては、例えば、ハロゲンランプ等が用いられる。
【０００３】
上記光源部は、上述したような所定値以上の光量と共に、高い熱量をも有することとなるので、この熱量によって、光源部自身の温度が高くなって光源部の寿命が短くなったり、光源部の周囲に位置する他の要素の温度を上昇させる等の影響を及ぼすことがある。そこで、従来技術においては、光源部を冷却して、上記種々の不具合を解消するために、送風手段が設けられている。
【０００４】
【発明が解決しようとする課題】
しかしながら、上記従来技術に係る写真処理装置は、以下のような問題点を有していた。
【０００５】
従来技術に係る写真処理装置においては、上述したように光源部を冷却するために送風手段が設けられているが、従来技術は、光源部に対して、ただ単に送風手段から供給される気体を吹き付けるのみであるため、冷却効率が悪く、特に、光源部を構成する管壁と封止部との温度を規定（ランプメーカー使用推奨値、または使用保証値）内に抑えることが困難であった。すなわち、この管壁と封止部との温度が高くなってしまうので、光源部の短寿命化は、依然解決できないという問題点を有していた。
【０００６】
また、従来技術に係る光源部としては、リフレクタ一体型のランプも用いられているが、このような構成の光源部を用いる場合には、球とリフレクタとが二重になっているので冷却が困難であった。特に、封止部の冷却が困難であるので、光源部の短寿命化を効果的に防止できないという問題点を有していた。
【０００７】
さらに、従来技術に係る写真処理装置においては、上述したように、冷却効率があまり芳しくないので、よりよい冷却効率を得ようとするならば、容量の大きな送風手段を用いざるを得ず、このような構成を採用すればコストアップおよび装置の拡大化につながるという問題点を有していた。
【０００８】
そこで、本発明は上記従来技術に係る問題点を解決するためになされたものであって、気体流通手段の容量を小さくし、比較的簡単な構成に基づいて、光源部（特に管壁および封止部）の冷却を効果的に行うことによって、光源部の短寿命化等を防止し得る写真処理装置を提供することを課題とする。
【０００９】
【課題を解決するための手段】
すなわち、上記課題を解決するための本発明は、デジタル露光処理のための光源部１５５を一体的に備えたデジタル露光処理ユニット１１と、該光源部１５５の冷却を行うための気体流通手段１６２とを備えた写真処理装置において、前記気体流通手段１６２にて流通される気体による冷却効率を向上させるべく、前記光源部１５５の周囲に制風手段が設けられ、前記光源部１５５は、リフレクタ一体型のハロゲンランプであり、リフレクタ２０２及びネック部２０５が臨出した格好でハロゲンランプ装着体１６５に装着され、前記制風手段としての通風ガイド体１６６が、ハロゲンランプ１５５を囲うようにしてハロゲンランプ装着体１６５に着脱自在に取り付けられたことを特徴としている。
【００１０】
本発明に係る写真処理装置によれば、前記制風手段を用いて、前記光源部に対して効率よく空気を当てることが可能となるので、前記光源部の発熱を抑制し、前記光源部の高寿命化を図ることが可能となる。
【００１１】
また、本発明に係る写真処理装置においては、前記制風手段が、前記光源部１５５の外周形状に沿うべく形成されていることが好ましい。
このような構成によれば、前記気体が、前記光源部の周囲に発散することなく、前記光源部の外周形状に沿って流通することとなるので、前記光源部に対して効率よく空気を当てることができる。
【００１２】
また、本発明に係る写真処理装置においては、前記光源部１５５に近接する前記制風手段の内周形状が、前記光源部の外周形状の相似形となるべく構成されたことが好ましい。
この構成においても、前記気体が、前記光源部の周囲に発散することなく、前記光源部の外周形状に沿って流通することとなるので、前記光源部に対して効率よく空気を当てることができる。
【００１３】
また、本発明に係る写真処理装置においては、前記気体が前記光源部１５５の所定箇所に集中するように、前記制風手段が構成されたことが好ましい。ここで、「所定箇所」とは、特に高温となる部分、あるいは高温とはならなくともできるだけ低い温度を保つ必要がある部分等である。
【００１４】
また、本発明に係る写真処理装置においては、前記光源部１５５に送られる前記気体の入口と出口とがそれぞれ一ヶ所となるべく、前記制風手段が構成されたことが好ましい。
この構成によれば、前記気体の入口と出口とをそれぞれ一ヶ所とすることにより、前記気体の流れを容易に制御することが可能となるので、前記気体を所望の箇所に当てることが容易となる。よって、より効果的に前記光源部の冷却を行うことができる。
さらに、本発明に係る写真処理装置においては、前記通風ガイド体１６６は箱体であり、該通風ガイド体１６６内には、リフレクタ２０２の基端部及びネック部２０５を挟み込み、気体をリフレクタ２０２の基端部及びネック部２０５に吹き付けるべく、対向配置される二枚のガイド板１７４，１７４を備える構成を採用することができる。
【００１５】
【発明の実施の形態】
以下、本発明に係る写真処理装置の実施の形態を図面に基づいて説明する。
【００１６】
図１に示すように、装置本体１の上面の一端側には、感光材料Ｐをロール状にして収容し、感光材料Ｐを装置本体１内に供給するための二つのマガジン３（３ａ，３ｂ）が載置されている。それぞれのマガジン３は、二分割されて開閉自在な略立方形状（箱型）をなし、その角部近傍には、感光材料Ｐの送り出しのための排出口４（４ａ，４ｂ）が形成されている。
【００１７】
二つのマガジン３ａ，３ｂが載置される装置本体１の上面は、段差状に形成され、第一のマガジン３ａは、排出口４ａを装置本体１の上面と対向させて上段面に載置され、第二のマガジン３ｂは、排出口４ｂを段差部の壁面と対向させて下段面に載置されている。上段面と壁面とが略直交し、壁面と下段面とが略直交しているため、第二のマガジン３ｂは、第一のマガジン３ａに対して９０度回転し、それぞれの感光材料Ｐの排出方向は、互いに略直交した関係にある。
【００１８】
また、装置本体１の上面であって、それぞれのマガジン３の排出口４に対応する位置には、マガジン３の排出口４から外部に送り出された感光材料Ｐを装置本体１内に受け入れるための受入口５（５ａ，５ｂ）が形成されている。
【００１９】
そして、装置本体１内には、二つの受入口５（５ａ，５ｂ）に臨み、それぞれのマガジン３から受け取った感光材料Ｐを下方向に搬送する縦長の第一搬送ユニット７が配置されている。第一搬送ユニット７は、二つの感光材料Ｐ，Ｐの何れか一方を選択して下流側に送り出すための選択機構８と、選択された一方の感光材料Ｐを所定長さに切断するカッター機構９と、該カッター機構９より下流側に間隔を有して複数配置されたローラー１０，…とを備えている。
【００２０】
また、第一搬送ユニット７の下流位置には、該第一搬送ユニット７から受け取った感光材料Ｐを露光処理する露光処理ユニット１１が配置されている。露光処理ユニット１１は、第一搬送ユニット７から受け取った感光材料Ｐを所定速度で搬送させ、あるいは所定位置に位置決めさせるための露光台１３と、デジタル化された写真フィルムの画像データに基づいて露光台１３上の感光材料Ｐに走査光を照射する走査露光ユニット１４とを備えている。
【００２１】
さらに、露光台１３の下流位置には、該露光台１３から受け取った感光材料Ｐを装置本体１の下方位置から搬送方向を上方に転換して搬送するための搬送ユニットが配置されている。この搬送ユニットは、搬送経路の上流側から順番に、第二搬送ユニット１６、第三搬送ユニット１７、第四搬送ユニット１８で構成されている。
【００２２】
第二搬送ユニット１６は、露光台１３から下方に送り出された感光材料Ｐを装置本体１の下部近傍に沿って水平方向に搬送した後、搬送方向を転換して上方に搬送するためのものであり、第三搬送ユニット１７は、第二搬送ユニット１６から上方に送り出された感光材料Ｐを左右に振り分けて上方に搬送するためのものであり、第四搬送ユニット１８は、第三搬送ユニット１７から上方に送り出された感光材料Ｐを上方に搬送した後、搬送方向を転換して水平方向に搬送するためのものであり、それぞれ搬送のための複数のローラーを備えている。
【００２３】
ここで、装置本体１は、長手方向（横方向）の略中央部位にて立設された平板状の仕切りフレーム１ｂにより、上流側のプリンタ部（露光処理部）Ａと、下流側のプロセッサ部（現像処理部）Ｂとに分けられており、第二搬送ユニット１６は、プリンタ部Ａの下部フレーム１ｃに沿って配置され、第三搬送ユニット１７および第四搬送ユニット１８は、仕切りフレーム１ｂに沿って配置された態様となっている。
【００２４】
次に、装置本体１のプロセッサ部Ｂ内には、第四搬送ユニット１８から送り出された感光材料Ｐの現像処理を行なう現像処理ユニット２０が配置されている。現像処理ユニット２０は、発色液、定着液、安定液等の現像処理に必要な処理液を蓄えた複数の処理タンク２１, …と、それぞれの処理タンク２１に挿入され、上下方向に配置された複数の送りローラー２２（図中は一部のみの図示）を備えた液中ラック（図示せず）と、隣同士の処理タンク２１，２１の上方開口部を跨ぐように配置された送りローラー２３を備えたオーバーラック（図示せず）とで構成されている。
【００２５】
そして、プロセッサ部Ｂの下流側には、現像処理を終えた感光材料Ｐに付着した余分な処理液を飛ばして感光材料Ｐを乾燥処理する乾燥ユニット２５が配置されている。乾燥ユニット２５は、搬送経路上の感光材料Ｐに熱風を送給するヒーター（図示せず）と、乾燥された感光材料Ｐを外部に排出する排出ローラー２６とを備えている。
【００２６】
本実施形態に係る写真処理装置の概略構成は以上の如くであり、次に、露光処理ユニット１１について詳細に説明する。
【００２７】
本実施形態に係る露光処理ユニット１１は、ＤＭＤ（デジタル・マイクロミラー・デバイス）（登録商標）を用いて走査露光を行なうデジタル露光手段である。露光処理ユニット１１は、上述の如く、走査露光に係る感光材料Ｐの搬送を行なう露光台１３と、露光台１３上の感光材料Ｐに対して走査光を照射する走査露光ユニット１４とを備えている。そして、これらは、装置本体１の下部フレーム１ｃ上に配置された支持体１２に取付けられている。
【００２８】
支持体１２は、図２及び図３に示す如く、装置本体１の下部フレーム１ｃの上面に沿って配置された平板状の第一基台１２０と、該第一基台１２０の上面に沿って配置された平板状の第二基台１２１と、該第二基台１２１の上面に沿って配置された平板状の基準取付台１２３と、該基準取付台１２３の上面に立設された露光台取付台１２４とからなる。これらの第一基台１２０、第二基台１２１、基準取付台１２３は、互いに所定間隔を有し、且つ、装置本体１の下部フレーム１ｃ（水平面）と略平行になるように設定されている。
【００２９】
第一基台１２０は、方形状の鋼板の四辺を下方に約９０度折り曲げて形成した偏平箱状の鈑金物で、平行配置された二本のスライドレール１２５，１２５によって装置本体１から感光材料Ｐの搬送経路の幅方向に引き出し可能に構成されている。すなわち、装置本体１の下部フレーム１ｃには、長手方向を搬送経路の幅方向に一致させて二本の長尺な第一固定レール１２６，１２６が固着して取付けられる一方、第一基台１２０の側面には、第一固定レール１２６，１２６の形状および設置位置に対応した二本の長尺な第二固定レール１２８，１２８が固着して取付けられ、さらに、第一固定レール１２６の内面と第二固定レール１２８の内面とに沿うように長尺な中間レール１２７が嵌装されており、第一固定レール１２６に沿って中間レール１２７および第二固定レール１２８をスライドさせることにより、第一基台１２０が装置本体１の内外にスライドし得るように構成されている。
【００３０】
第二基台１２１は、方形状の鋼板の四辺を下方に約９０度折り曲げて形成した偏平箱状の鈑金物で、第一基台１２０の四隅から上方に突出するボルト１３０およびこれに螺着される二つのナット１３１，１３１によって、第一基台１２０に間隔を有して固定されている。具体的には、第二基台１２１の所定位置には、ボルト１３０を挿通可能な孔が形成されており、ボルト１３０に螺着された二つのナット１３１，１３１を第二基台１２１を挟み込むように締結することで、第二基台１２１は第一基台１２０に固定される。
【００３１】
また、それぞれのボルト１３０に対するナット１３１，１３１の締結位置を調整することで、装置本体１の下部フレーム１ｃに対する第二基台１２１の傾きを調整でき、且つ、第二基台１２１に形成されたボルト挿通用の孔は、ボルト１３０の径よりも大きな径をもって形成されており、第二基台１２１を水平方向（特に、感光材料Ｐの搬送経路の幅方向）に微小移動させることができる。
【００３２】
基準取付台１２３は、撓み変形のない程度の厚みを有する鋼板からなり、第二基台１２１の上面に取付られた、例えば硬質ゴムからなる防振材１３４上に載置されている。この防振材１３４は、第二基台１２１の上面の適宜位置、例えば第二基台１２１の四隅位置に配置されており、基準取付台１２３と第二基台１２１との間に防振材１３４を介装することによって、基準取付台１２３は、第二基台１２１と間隔を有して平行に配置される。
【００３３】
また、基準取付台１２３の上面には、偏平円柱状に形成された金属性のパッド（図示しない）が、間隔を有して適宜位置に複数配設されており、これらの複数のパッドの上面が、一つの平面（第一基準面）を形成している。しかも、基準取付台１２３の上面には、パッドの上面（第一基準面）よりも上方に突出する円柱状の位置決めピン１３５が、感光材料Ｐの搬送方向の幅方向に二箇所設けられている。
【００３４】
露光台取付台１２４は、装置本体１の奥側（搬送される感光材料Ｐの一側端縁側）に位置する左側プレート１３６と、装置本体１の手前側（搬送される感光材料Ｐの他側端縁側）に位置する右側プレート１３７とを備えている。
【００３５】
左側プレート１３６は、所定の厚みを有するアルミ板を略直角三角形状に加工したもので、その板面を基準取付台１２３の奥側端縁に沿わせた状態で、短辺に係る端面１３６ａを基準取付台１２３の上面に固定することにより、端面１３６ａと直交する端面１３６ｂは、第一基準面と直交するようになっている。
【００３６】
右側プレート１３７は、所定の厚みを有するアルミ板を略長方形状に加工したもので、その板面を基準取付台１２３の奥側端縁に平行、即ち左側プレート１３６の板面と平行にした状態で、短辺に係る端面１３７ａを基準取付台１２３の上面に固定することにより、端面１３７ａと直交する端面１３７ｂは、左側プレート１３６の端面１３６ｂと同一平面状にあり、且つ、第一基準面と直交するようになっている。
【００３７】
従って、左側プレート１３６の端面１３６ｂと右側プレート１３７の端面１３７ｂとが、第一基準面と直交する一つの面（第二基準面）を形成している。
【００３８】
露光台１３は、複数のローラーを備え、第一搬送ユニット７と第二搬送ユニット１６との間に介装される搬送ユニットである。この露光台１３は、横長の箱型形状を有しており、露光台１３の四隅箇所に挿通された四本のボルト１４１，…を左側プレート１３６の端面１３６ｂ若しくは右側プレート１３７の端面１３７ｂに穿設された雌ネジにそれぞれ締結することで、露光台取付台１２４に固定されている。この時、露光台１３の平面長方形状を有する取付面１４０は、左側プレート１３６の端面１３６ｂおよび右側プレート１３７の端面１３７ｂに当接した状態となっている。
【００３９】
また、左側プレート１３６の端面１３６ｂの中央部位には、円柱状の支持ピン１４３が一部を端面１３６ｂから臨出させて嵌入される一方、露光台１３の取付面１４０の対応位置には、支持ピン１４３を嵌入可能な円孔が穿設されている。従って、露光台１３は、この支持ピン１４３を中心として露光台取付台１２４の第二基準面に沿って回転可能となっている。
【００４０】
しかも、右側プレート１３７の端面１３７ｂの下方部位には、該端面１３７ｂに沿って回転可能な円柱状の偏心カム１４４が設けられ、この偏心カム１４４の周面が露光台１３の取付面１４０の下端に接触するようになっているので、偏心カム１４４を回転調整したならば、支持ピン１４３を中心として露光台１３を微小回転させることができる。
【００４１】
また、露光台１３内に設けられたローラーは、所定間隔を有して上下方向に配置され且つ互いの軸芯を通る面が取付面１４０と平行に配置された一対のアドバンスローラー１４６，１４６と、それぞれのアドバンスローラー１４６に圧着される二本の圧着ローラー１４７，１４７とからなる。従って、第一搬送ユニット７から送り出されて露光台１３内に送り込まれた感光材料Ｐは、まず、上方のアドバンスローラー１４６とこれに圧着される二本の圧着ローラー１４７，１４７に保持され、しかる後、下方のアドバンスローラー１４６とこれに圧着される二本の圧着ローラー１４７，１４７にも保持された状態で搬送される。
【００４２】
尚、第一搬送ユニット７から露光台１３への感光材料Ｐの先端の移行、あるいは露光台１３から第二搬送ユニット１６への感光材料Ｐの先端の移行を円滑且つ確実にすべく、第一搬送ユニット７の出口部、露光台１３の入口部および出口部、そして第二搬送ユニット１６の入口部には、二枚の板体が対向配置されて先端側がテーパ状に拡開されたガイド体１４９が配置されている。
【００４３】
ここで、走査露光ユニット１４からの走査光Ｑは、二つのアドバンスローラー１４６，１４６間に照射されるように設定されており、二つのアドバンスローラー１４６，１４６間に位置する横長のスリット状領域が走査露光領域となる。また、走査露光中における感光材料Ｐの紙面直交方向での浮き上がりによってプリント品質が低下するのを防止すべく、二つのアドバンスローラー１４６，１４６間には、搬送経路に沿って多孔の背面板１５０が配置されており、背面板１５０の裏面側から多孔を介して表面側の空気を吸引することで、感光材料Ｐを背面板１５０に吸着させながら搬送させるようにしている。
【００４４】
走査露光ユニット１４は、光源部としてのハロゲンランプ１５５を収容するランプハウス１５６と、ハロゲンランプ１５５の照射光を露光台１３の走査露光領域に導くための光学系を収容する光学ボックス１５７とを備えている。
【００４５】
光学ボックス１５７は、平面視にて基準取付台１２３と略同一形状の箱型に形成され、その下面が基準取付台１２３の第一基準面と当接して、基準取付台１２３上に載置されている。しかも、光学ボックス１５７の下面には、基準取付台１２３の上面に突設された二本の位置決めピン１３５，１３５が嵌入し得る孔が穿設されており、ピン１３５を孔の中に嵌入させて光学ボックス１５７を基準取付台１２３に取付けることで、光学ボックス１５７は、基準取付台１２３の正規位置に位置決め固定される。
【００４６】
また、光学ボックス１５７の内部であって、ハロゲンランプ１５５から照射される光の光軸上には、反射ミラー、レンズ、ＤＭＤ等の光学部品が配置されており、光学ボックス１５７の側面であって露光台１３との対向位置には、走査光を外部に投光させるためのスリットが横長に形成されている。
【００４７】
ランプハウス１５６には、ハロゲンランプ１５５の熱損傷を防止すべく、冷却装置が設けられている。この冷却装置は、感光材料Ｐの搬送経路の幅方向に沿って基準取付台１２３上に配設された角パイプ状のダクト１６１と、正面フレーム１ｄの開口１ｅに連通し、該正面フレーム１ｄの裏面側に配置される排気手段としての排気ファン１６２とを備えている。そして、ダクト１６１は、ランプハウス１５６の側面に形成された開口１６０に一端が接続されると共に、支持体１２を装置本体１内に収容した際に、装置本体１の奥側に位置する正面フレーム１ｄに形成された方形状の開口１ｅに他端が接続されるべく構成されている。
【００４８】
従って、走査露光ユニット１４が搭載された支持体１２を装置本体１内に収容した状態にあっては、ダクト１６１の両端がランプハウス１５６の開口１６０と正面フレーム１ｄの開口１ｅとに接続され、ランプハウス１５６の内部と排気ファン１６２とがダクト１６１を介して連通状態となるので、排気ファン１６２を運転させることで、ランプハウス１５６内の空気（ハロゲンランプ１５５の放熱により温められた空気）を排出することができる。
【００４９】
ここで、ランプハウス１５６は、光学ボックス１５７内への迷光の侵入を防止すると共に、収容されたハロゲンランプ１５５の強制冷却を行なうためのものであり、図４に示す如く、光学ボックス１５７の側面に設けられたハロゲンランプ装着体１６５と、該ハロゲンランプ装着体１６５に着脱自在に取付けられる略直方体形状の通風ガイド体１６６と、該通風ガイド体１６６に着脱自在に取付けられる略直方体形状の遮光体１６７と、該遮光体１６７の開放端に挿着されるエアフィルタ１６８と、該エアフィルタ１６８を挿入した状態で遮光体１６７の開放端に被せられるカバー体１６９とからなる。
すなわち、このランプハウス１５６を構成する通風ガイド体１５５等が、ハロゲンランプ１５５を冷却する際の制風手段として機能する。特に、ハロゲンランプ１５５近傍で、空気をハロゲンランプ１５５に効果的に当てうるように設けられた通風ガイド体１６６が、制風手段としての機能を最も有している。
【００５０】
本実施形態に係る写真処理装置においては、ハロゲンランプ装着体１６５には、リフレクタ（反射板）一体型のハロゲンランプ１５５が取り付けられている。
【００５１】
リフレクタ一体型のハロゲンランプ１５５は、図５に示すように、ハロゲン球２０１が椀状のリフレクタ（反射板）２０２内に収容されている。そして、ハロゲン球２０１を構成するガラス製のバルブ２０３の封止部２０４が、リフレクタ２０２を支持するネック部２０５内に挿入されており、ネック部２０５の内面と封止部２０４の外面との間の環状間隙間内には、セメント等の接着剤２０６が充填されている。
【００５２】
本実施形態においては、ハロゲン球２０１が光学ボックス１５７内を向くようにハロゲンランプ装着体１６５に装着されており、また、ハロゲンランプ装着体１６５から外側には、リフレクタ２０２およびハロゲンランプ１５５のネック部２０５が臨出した格好となっている。
【００５３】
通風ガイド体１６６は、ハロゲンランプ１５５を囲うようにしてハロゲンランプ装着体１６５に取付けられる箱体であり、一の側面（装置本体１の奥側の側面）の下方位置には、ダクト１６１の一端が接続される開口１６０が形成されると共に、遮光体１６７と対向する面の上方位置にも開口１７３が形成されている。また、通風ガイド体１６６内には、二枚のガイド板１７４，１７４が対向配置されており、この二枚のガイド板１７４，１７４等によって開口１７３から開口１６０を結ぶ一つの流路が形成されている。具体的には、通風ガイド体１６６のうちの遮光体１６７と対向する面の裏面側に、二枚のガイド板１７４，１７４が直交するように固着されており、遮光体１６７と対向する面および二枚のガイド板１７４，１７４によって断面視略コの字状の流路が形成される。この流路の開放端は、ハロゲンランプ装着体１６５に通風ガイド体１６６を取付けた状態にて、ハロゲンランプ装着体１６５の通風ガイド体１６６と対向する面にて閉塞される。従って、流路は外周が囲まれたダクト状となる。
【００５４】
二枚のガイド板１７４，１７４の先端部は、図６に示すように、リフレクタ２０２の基端部およびネック部２０５を挟み込む配置となっており（流路を構成するダクトの吹き出し側開口端に、リフレクタ２０２の基端部およびネック部２０５を配置するようになっており）、二枚のガイド板１７４，１７４間を流通する空気をリフレクタ２０２の基端部およびネック部２０５に吹き付けるようにしている。
【００５５】
尚、二枚のガイド板１７４，１７４は、該二枚のガイド板１７４，１７４から吹き出される空気を下流側の開口１６０側に誘導すべく、それぞれの先端部が開口１６０側に屈曲されており、また、二枚のガイド板１７４，１７４とリフレクタ２０２の外周曲面との干渉を防止すべく、それぞれの先端部の該当箇所がリフレクタ２０２の外周曲面に沿って（本実施形態では斜め）角取りされている。
【００５６】
遮光体１６７は、通風ガイド体１６６に形成された開口１７３を囲うようにして該通風ガイド体１６６に取付けられる筒状の箱体であり、遮光体１６７の他端から侵入した光が通風ガイド体１６６に形成された開口１７３を介して光学ボックス１５７内に侵入しないよう、遮光体１６７内には、複数の遮光板１８０，…が配置されている。本実施形態においては、外側から通風ガイド体１６６にかけて、上方が開口された第一の遮光板１８０ａ、下方が開口された第二の遮光板１８０ｂの二枚の遮光板１８０が順番に並んで配置されている。また、それぞれ遮光板１８０の先端は、隣の遮光板１８０の先端を越して基端側に進入する長さに形成されており、遮光体１６７内を光が直進できない（遮光体１６７内を光が進めない）ようになっている。
【００５７】
尚、遮光体１６７の通風ガイド体１６６側の開放端は、板体によって閉塞されており、この板体には、通風ガイド体１６６に遮光板１６７を取付けた状態で、開口１７３と連通する開口１８１が形成されている。
【００５８】
エアフィルタ１６８は、遮光体１６７の断面形状と一致する直方体形状に形成されており、遮光体１６７の外側の開放端から遮光板１６７内に挿入して遮光体１６７内に挿着される。そして、遮光体１６７に挿着されたエアフィルタ１６８は、遮光体１６７の外側の開放端に外嵌されたカバー体１６９によって抜け防止がなされる。
【００５９】
本実施形態においては、ハロゲンランプ１５５の周辺は上述した図４から図６に示すように構成されている。そして、以上のように構成されたハロゲンランプ１５５を強制冷却するための冷却装置の動作態様等は、以下に説明する通りとなる。
【００６０】
露光処理ユニット１１が装置本体１内に収容された状態では、排気ファン１６２とランプハウス１５６とがダクト１６１を介して連通しており、排気ファン１６２を運転することで、ランプハウス１５６内は負圧状態となる。
【００６１】
すると、装置本体１内の空気は、エアフィルタ１６８を介してランプハウス１５６内に吸い込まれる。吸い込まれた空気は、エアフィルタ１６８にて塵、埃、紙粉等が除去され、まず、遮光体１６７内の遮光板１８０，…間を曲折しながら流通する。
【００６２】
そして、遮光体１６７の開口１８１を出た空気は、開口１７３から通風ガイド体１６６内に流通する。そこで、空気は、二枚のガイド板１７４，１７４間を通って通風ガイド体１６６の側面下方位置に形成された開口１６０に導かれる。すなわち、本実施形態によれば、一つの入口（開口１７３）から導入された空気が、一つの出口（ガイド板１７４，１７４）から排出されることとなる。つまり、導入された空気を他に発散等させることなく、ハロゲンランプ１５５の冷却に集中的に使用することが可能となる。
したがって、流路上に介在するリフレクタ２０２の基端部およびネック部２０５は、流通する空気に晒されて強制冷却されることとなる。しかる後、ハロゲンランプ１５５を冷却した空気は、ダクト１６１内を流通してから装置本体１の外部に排気されることとなる。
【００６３】
本実施形態に係る通風ガイド体によれば、ネック部２０５近傍を、特に空気が流通することとなる。そうすると、流通する空気によって特にネック部２０５が冷却されることとなり、延いてはネック部内に設けられた封止部２０４が効果的に冷却されることとなる。
【００６４】
したがって、本実施形態によれば、ランプハウス１５６内における空気の流通により、ハロゲンランプ１５５全体が冷却されるのはもちろんのこと、特に熱損傷を受けやすい封止部１７１が好適に冷却されるので、ハロゲンランプ１５５の長寿命化を図ることができる。
【００６５】
しかも、ランプハウス１５６内に、複数の遮光板１８０，…からなるラビリンス構造を採用することで、ハロゲンランプ１５５の冷却用空気の流通を阻害することなく、光の侵入を規制することができるため、光学ボックス１５７内へ侵入した迷光によって感光材料Ｐが不用意に感光するのを防止することができる。
【００６６】
また、本実施形態によれば、通風ガイド体１６６を設けたことにより、ハロゲンランプ１５５を冷却する際の冷却効率を向上させることが可能となるので、従来よりも容量の小さい排気ファン（送風手段）であっても、十分な冷却効果をあげることができる。したがって、本実施形態によれば、装置の縮小化を実現し、コストダウンを図ることも可能となる。
【００６７】
次に、露光処理ユニット１１の調整方法について図３を参酌しつつ説明する。尚、露光処理ユニット１１の調整は、露光台１３上の走査露光領域の適正位置に走査光を照射させると共に、他の搬送ユニット（特に、第一搬送ユニット７）と露光台１３の感光材料の搬送方向を一致させることを目的としている。
【００６８】
まず、光学ボックス１５７の下面と該光学ボックス１５７から照射される走査光の照射方向とが平行となっていることを前提として、基準取付台１２３のピン１３５，１３５を光学ボックス１５７の下面に形成された二つの孔に嵌入させるようにして光学ボックス１５７を基準取付台１２３上に載置する。この時、光学ボックス１５７の下面と基準取付台１２３の第一基準面とが当接しているので、光学ボックス１５７からの走査光の照射方向は、第一基準面と平行である。
【００６９】
次に、左側プレート１３６の端面１３６ｂから突設されたピン１４３を露光台１３の取付面１４０の一端側中央部に穿設された円孔に嵌入させるようにして、取付面１４０の一端側を左側プレート１３６の端面１３６ｂに当接させると共に、取付面１４０の他端側を右側プレート１３７の端面１３７ｂに当接させてから、露光台１３の四箇所位置に挿通されているボルト１４１，…をそれぞれプレート１３６，１３７の端面１３６ｂ，１３７ｂに刻設された雌ネジに螺入させて、露光台１３を露光台取付台１２４に軽く固定する。
【００７０】
そして、かかる状態から、偏心カム１４４を回転調整して、露光台１３の傾き調整を行ない、走査光の走査方向とローラーの軸長方向とを平行、すなわち、走査光の走査方向と露光台における感光材料Ｐの搬送方向とを直交させたならば、四本のボルト１４１，…を締結して、露光台１３を露光台取付台１２４にしっかりと固定する。
【００７１】
以上より、基準取付台１２３の上面（第一基準面）に光学ボックス１５７（走査露光ユニット１４を載置すると共に、露光台取付台１２４の端面１３６ｂ，１３７ｂ（第二基準面）に露光台１３を取付けてから、偏芯カム１４４を用いて露光台１３の傾き調整を行なうのみで、走査露光ユニット１４と露光台１３との関係を出すことができ、従って、露光台１３の走査露光領域に適正な走査光が照射されることとなる。
【００７２】
次に、ボルト１３０に締結されたナット１３１を緩めた後、ボルト１３０に対するナット１３１の螺着位置を変更すると共に、基準取付台１２３を水平方向に微小移動させることで、露光台１３のローラーの軸長方向と第一搬送ユニット７のローラーの軸長方向とを平行にして、第一搬送ユニット７における感光材料Ｐの搬送方向と露光台１３における感光材料の搬送方向を一致させたならば、ナット１３１，…を締結して、基準取付台１２３（第二基台１２１）を第一基台１２０に固定する。
【００７３】
以上により、基準取付台１２３の傾き調整および水平方向における位置調整を行なうのみで、走査露光ユニット１４と装置本体１（他の搬送ユニット）との関係、および、露光台１３と装置本体１（との搬送ユニット）との関係を同時に出すことができ、従って、露光台１３上の感光材料に走査露光された複数の点像がきれいに重なって、正しいプリント画像が得られることとなる。
【００７４】
本実施形態に係る露光処理ユニット１１の調整方法は以上の如くであり、本実施形態に係る露光処理ユニット１１によれば、走査露光ユニット１４は、基準取付台１２３に載置するだけで基準取付台１２３に位置決めされ、露光台１３は、露光台取付台１２４に取り付けて偏芯カム１４４を回転調整するだけで露光台取付台１２４（基準取付台１２３）に位置決めされるので、走査露光ユニット１４および露光台１３の何れかを一旦取り外した後、再度取付けるような場合であっても、偏芯カム１４４を触らない限り、両者の関係は維持されたままなので、再度の調整作業は不要である。
【００７５】
また、走査露光ユニット１４および露光台１３は、一つの部材（基準取付台１２３および露光台取付台１２４）に一体的に取り付けられているので、走査露光ユニット１４および露光台１３の相対関係を維持しつつ、装置本体１（他の搬送ユニット）に対する調整作業を行なうことができる。しかも、走査露光ユニット１４および露光台１３の何れかを修理、補修、交換等で一旦取り外した後、再度取付けるような場合であっても、偏芯カム１４４を触らない限り、両者の関係は維持されたままなので、両者間の再度の調整作業が不要なのは勿論の事、ナット１３１，…および偏芯カム１４４を触らない限り、両者と装置本体１（他の搬送ユニット）との関係も維持されたままなので、走査露光ユニット１４および露光台１３と装置本体１との再度の調整作業が不要となる。
【００７６】
尚、本発明に係る写真処理装置は、上記実施形態に限定されるものではなく、本発明の要旨を逸脱しない範囲にて種々の変更が可能である。
【００７８】
また、本実施形態においては、制風手段たる通風ガイド体１６６が、ハロゲンランプ１５５のリフレクタ２０２およびネック部２０５を覆うべく構成された場合について説明したが、本発明はこの構成に限定されるものではない。したがって、例えば、通風ガイド体１６６等からなる制風手段が、光源部たるハロゲンランプ１５５の外周形状に沿うべく形成されてもよい。また、通風ガイド体１６６等からなる制風手段の内周形状が、ハロゲンランプ１５５の外周形状の相似形となくべく構成されてもよい。
【００７９】
また、本実施形態においては、気体流通手段として、排気ファン１６２を用いた場合について説明したが、本発明はこの構成に限定されるものではなく、例えば、ハロゲンランプ１５５の方向に気体を送り出すべく構成された送風ファン等を気体流通手段として用いてもよい。
【００８０】
【発明の効果】
以上説明したように、本発明に係る写真処理装置においては、ハロゲンランプ周辺に通風ガイド体等が設けられている。したがって、本発明によれば、送風手段（排気ファン）の容量を小さくし、比較的簡単な構成に基づいて、光源部（特に管壁および封止部）の冷却を効果的に行うことによって、光源部の短寿命化等を防止し得る写真処理装置を得ることができる。
【図面の簡単な説明】
【図１】本発明の一実施形態を示す写真処理装置の概略側面図。
【図２】同実施形態の露光処理ユニットの外観斜視図。
【図３】同実施形態の露光処理ユニット近傍の側面図。
【図４】同実施形態のランプハウスの分解斜視図。
【図５】同実施形態のハロゲンランプの概略断面図
【図６】同実施形態のランプハウスの通風ガイド体を示し、（イ）は、要部側面図、（ロ）は、（イ）のＡ矢視図。
【符号の説明】
１…装置本体、１ｂ…仕切りフレーム、１ｃ…下部フレーム、１ｄ…奥側フレーム、１ｅ…開口、３…マガジン、４…排出口、５…受入口、７…第一搬送ユニット、８…選択機構、９…カッター機構、１０…送りローラー、１１…露光処理ユニット、１２…支持体、１３…露光台、１４…走査露光ユニット、１６…第二搬送ユニット、１７…第三搬送ユニット、１８…第四搬送ユニット、２０…現像処理ユニット、２１…処理タンク、２２…送りローラー、２３…送りローラー、２５…乾燥ユニット、１２０…第一基台、１２１…第二基台、１２２…取付台、１２３…基準取付台、１２４…露光台取付台、１２５…スライドレール、１２６…第一固定レール、１２７…第一スライドレール、１２８…第二スライドレール、１３０…ボルト、１３１…ナット、１３４…防振材、１３５…位置決めピン、１３６…左側プレート、１３６ａ…端面、１３６ｂ…端面、１３７…右側プレート、１３７ａ…端面、１３７ｂ…端面、１４０…取付面、１４１…ボルト、１４３…支持ピン、１４４…偏心カム、１４６…アドバンスローラー、１４７…圧着ローラー、１４９…背面板、１５０…ガイド体、１５５…ハロゲンランプ、１５６…ランプハウス、１５７…光学ボックス、１６０…開口、１６１…ダクト、１６２…排気ファン、１６５…ハロゲンランプ装着体、１６６…通風ガイド体、１６７…遮光体、１６８…エアフィルタ、１６９…カバー体、１７３…開口、１７４…ガイド板、１８０…遮光板、１８１…開口、１８６…ロッドレンズ、１８７…リレーレンズ、１８８…第一反射ミラー、１８９…プリズム、１９０…ＤＭＤ、１９１…プリントレンズ、１９２…第二反射ミラー、１９４…スリット、２０１…ハロゲン球、２０２…リフレクタ、２０３…バルブ、２０４…封止部、２０５…ネック部、２０６…接着剤、Ａ…プリンタ部、Ｂ…プロセッサ部、Ｐ…感光材料
【図１】
0003743605.tif 000002
【図２】
0003743605.tif 000003
【図３】
0003743605.tif 000004
【図４】
0003743605.tif 000005
【図５】
0003743605.tif 000006
【図６】
0003743605.tif 000007